(57)【特許請求の範囲】
【請求項１】
相手局の宛先情報に、オプション信号に設定する特定機能情報を対応付けて短縮ダイヤルに登録する登録手段を有し、前記短縮ダイヤルに登録される特定機能を示す情報を設定したオプション信号を使用して相手局との通信を行なう機能を有するファクシミリ通信装置において、
異なる複数の短縮ダイヤルによる発呼指示が行われた場合、各短縮ダイヤルの相手局の宛先情報を比較して、同一の宛先情報の相手局に対する発呼指示が含まれるかどうかを判定する判定手段と、
前記判定手段により、同一の宛先情報の相手局に対する発呼指示が含まれると判定された場合、当該同一の宛先情報の相手局に対し発呼し、該同一の宛先情報を有する各短縮ダイヤル毎に登録したオプション信号毎に通信断することなく通信すべく制御する通信制御手段と
を具備することを特徴とするファクシミリ通信装置。
【請求項２】
相手局の宛先情報に、オプション信号に設定する特定機能情報を対応付けて短縮ダイヤルに登録する登録手段を有し、前記短縮ダイヤルに登録される特定機能を示す情報を設定したオプション信号を使用して相手局との通信を行なう機能を有するファクシミリ通信装置において、
異なる複数の短縮ダイヤルによる発呼指示が行われた場合、各短縮ダイヤルの相手局の宛先情報を比較して、同一の宛先情報の相手局に対する発呼指示が含まれるかどうかを判定する第１の判定手段と、
前記第１の判定手段により、同一の宛先情報の相手局に対する発呼指示が含まれると判定された場合、該同一の宛先情報を有する各短縮ダイヤル毎に登録した複数のオプション信号に設定する特定機能情報が複数選択指定されたかどうかを判定する第２の判定手段と、
前記第２の判定手段により、前記同一の宛先情報を有する各短縮ダイヤル毎に登録した複数のオプション信号に設定する特定機能情報が複数選択指定されたと判定された場合、当該同一の宛先情報の相手局に対し発呼し、前記選択指定された複数のオプション信号毎に通信断することなく通信すべく制御する通信制御手段と
を具備することを特徴とするファクシミリ通信装置。
【発明の詳細な説明】
【０００１】
【発明の属する技術分野】
本発明は、特定機能を示す情報を設定したオプション信号を使用して通信を行なう機能を有するファクシミリ通信装置に関し、特に、複数のオプション信号を同一呼内にまとめて処理することにより通信コストの節減を可能にするファクシミリ通信装置に関する。
【０００２】
【従来の技術】
近年、この種のファクシミリ通信装置では、ＩＴＵ−Ｔ（国際電気通信連合電気通信標準化部門）のＴシリーズ勧告３０で規定される、Ｆコード等の特定機能を示す情報を設定したオプション信号を使用したファクシミリ通信が行われるようになってきている。
【０００３】
ところで、従来では、このＦコード等のオプション信号を使用してファクシミリ通信を行なう場合、使用者（オペレータ）は、短縮ダイヤルに登録されている相手先電話番号を指定し、その後、上記Ｆコード等で使用されるオプション信号の情報を手入力してから発呼指示を行っている。
【０００４】
このように、従来のファクシミリ装置においては、短縮ダイヤルに登録できるのは、相手先電話番号のみであったため、Ｆコードを用いた通信を行なう度に、それらＦコードで使用されるオプション信号の情報を使用者が手入力する必要があり、大変時間と手間がかかるものとなっていた。
【０００５】
また、従来のファクシミリ装置では、ユーザが複数選択ポーリングが可能なケースか否かの判断を求めており、ユーザが同機能を知っていて指示をしない限り、同一呼にまとめられる通信も複数回に分けて発呼していたため、通信コストがかかるものとなっていた。
【０００６】
【発明が解決しようとする課題】
上述の如く、従来のファクシミリ装置にあっては、短縮ダイヤルに登録されている相手局に対して、Ｆコード等のようなオプション信号を用いて通信を行なう場合に、毎回、使用者がオプション信号に設定される情報を入力する必要があり、大変時間と手間がかかっていた。
【０００７】
また、従来のファクシミリ装置においては、短縮ダイヤルに登録されている相手先に対し、異なる複数のオプション信号を使用した発呼指示が行われた場合、ユーザが自身で判断して複数選択ポーリング等同一呼にまとめる指示をしない限り、当該相手先に対して各オプション信号毎に別々の呼で通信を行っているため、通信コストがかかっていた。
【０００９】
そこで、本発明では、上記問題点を除去し、ユーザが意識しなくても、相手局の能力次第では、複数の特定機能の指示を同一呼にまとめ、該複数の特定機能動作を当該同一呼内で処理することにより通信コストを節減可能にするファクシミリ通信装置を提供することを目的とする。
【００１０】
【課題を解決するための手段】
上記目的を達成するために、請求項１記載の発明は、相手局の宛先情報に、オプション信号に設定する特定機能情報を対応付けて短縮ダイヤルに登録する登録手段を有し、前記短縮ダイヤルに登録される特定機能を示す情報を設定したオプション信号を使用して相手局との通信を行なう機能を有するファクシミリ通信装置において、異なる複数の短縮ダイヤルによる発呼指示が行われた場合、各短縮ダイヤルの相手局の宛先情報を比較して、同一の宛先情報の相手局に対する発呼指示が含まれるかどうかを判定する判定手段と、前記判定手段により、同一の宛先情報の相手局に対する発呼指示が含まれると判定された場合、当該同一の宛先情報の相手局に対し発呼し、該同一の宛先情報を有する各短縮ダイヤル毎に登録したオプション信号毎に通信断することなく通信すべく制御する通信制御手段とを具備することを特徴とする。
【００１１】
また、請求項２記載の発明は、相手局の宛先情報に、オプション信号に設定する特定機能情報を対応付けて短縮ダイヤルに登録する登録手段を有し、前記短縮ダイヤルに登録される特定機能を示す情報を設定したオプション信号を使用して相手局との通信を行なう機能を有するファクシミリ通信装置において、異なる複数の短縮ダイヤルによる発呼指示が行われた場合、各短縮ダイヤルの相手局の宛先情報を比較して、同一の宛先情報の相手局に対する発呼指示が含まれるかどうかを判定する第１の判定手段と、前記第１の判定手段により、同一の宛先情報の相手局に対する発呼指示が含まれると判定された場合、該同一の宛先情報を有する各短縮ダイヤル毎に登録した複数のオプション信号に設定する特定機能情報が複数選択指定されたかどうかを判定する第２の判定手段と、前記第２の判定手段により、前記同一の宛先情報を有する各短縮ダイヤル毎に登録した複数のオプション信号に設定する特定機能情報が複数選択指定されたと判定された場合、当該同一の宛先情報の相手局に対し発呼し、前記選択指定された複数のオプション信号毎に通信断することなく通信すべく制御する通信制御手段とを具備することを特徴とする。
【００１７】
【発明の実施の形態】
以下、本発明に係る実施の形態を添付図面を参照して詳細に説明する。
【００１８】
図１は、本発明に係るファクシミリ装置１００のシステム構成を示す図である。図１に示すように、このファクシミリ装置１００は、装置全体の制御処理を行なうＣＰＵ１、制御プログラムが使用するワークエリアとなるＲＡＭ２、例えば、タッチパネル等から成り、使用者がこの装置を操作するために使用する操作表示部３、送信原稿を読み取る読取部４、受信した画像データなどを記録紙に記録して出力する印字部５、符号化、復号化、拡大、縮小等の処理を行う画像処理部６、受信した画像データあるいは読み取った画像データを格納する画像蓄積部７、ファクシミリ全体を制御するプログラム（ＲＯＭ）を有するシステム制御部８、ディジタル網に適した通信を制御する（例えばＧ４）のためのプログラムを格納した（ＲＯＭ）から成る通信制御部９、アナログ網に適した通信を制御する（例えばＧ３）のためのプログラムを格納した（ＲＯＭ）から成る通信制御部１０、ディジタル網（例えば、ＩＳＤＮ網）へ接続するためのディジタル網制御部１１、低速モードと高速モード機能を備える変復調装置であるモデム１２、アナログ公衆網へ接続するための制御を司り、自動発着信機能を備えるアナログ網制御部１３、複数の外部回線インタフェースと複数の内部通信回路を接続する回線切換え制御部１４、相互にデータのやり取りするためのシステムバス１５を備えて構成されている。
【００１９】
なお、上記各構成部のうち、ＣＰＵ１〜ディジタル網通信制御部１１は、上記システムバス１５を介して、相互にデータの送受を行っている。
【００２０】
また、本ファクシミリ装置１００をアナログ網のみに接続する場合は、上記通信制御部９、ディジタル網制御部１１は省略可能であり、更に、ディジタル網のみに接続する場合は、上記通信制御部１０、モデム１２、アナログ網制御部１３は省略可能である。
【００２１】
このファクシミリ装置１００は、ＩＴＵ−Ｔ勧告Ｔ．３０に準拠した通信手順を持つものであり、例えば、ＳＥＰ（選択ポーリング）やＳＵＢ（サブアドレス）等の機能に対応した通信手順にも対応できるものである。
【００２２】
このうち、例えば、ＳＥＰに関しては、選択ポーリングの対象となる機能ボックスを開設した着呼局に発呼した局（発呼局）が、着呼局からＳＥＰ機能をサポートしていることを通知された後、選択ポーリングを指示するためのＳＥＰコマンドを着呼局に送信し、着呼局では、このＳＥＰコマンドに基づき該当する機能ボックスを検索し、該機能ボックスに蓄積された画像データ（送信原稿）を発呼局に送信するという手順で実現される。
【００２３】
また、例えば、ＳＵＢに関しては、特定の機能ボックスを開設した着呼局に発呼した局（発呼局）が、着呼局からＳＵＢ機能をサポートしていることを通知された後、特定の機能ボックスを指示するためのＳＵＢコマンドを着呼局に送信し、着呼局では、このＳＵＢコマンドに基づき該当する機能ボックスを検索し、該機能ボックスに指示局からの送信原稿を受信するという手順で実現される。
【００２４】
図２は、上記図１に示すファクシミリ装置１００の操作表示部３に表示される短縮ダイヤルの設定画面の一構成例を示す図であり、この実施例では、短縮ダイヤルに登録される相手先電話番号情報に続いて、オプション信号にセットされる情報を入力することが可能な短縮ダイヤル設定画面３０１を示している。
【００２５】
図２に示すように、この例では、短縮ダイヤル「００１」に相手先電話番号情報「０３−１２３４−１２３４」を、オプション信号に設定されるサブアドレス情報として「１２３４５」が登録される様子を示している。
【００２６】
なお、この短縮ダイヤル設定画面３０１では、相手先の電話番号情報とオプション信号にセットされる情報との区切りには、様々な方法が考えられるが、ここでは、例えば、アルファベット「Ｆ」を区切りとして使用する場合を示している。
【００２７】
そして、この区切り「Ｆ」を入力する手段としては、専用のハードキー、またはタッチパネル等を用いたソフトキーを設けても良いし、自局名等を入力するためのアルファベットの入力手段を代用しても良いものとする。
【００２８】
また、この短縮ダイヤル設定画面３０１を用いて入力された短縮ダイヤル情報は、発呼時には、相手先電話番号「０３−１２３４−１２３４」とオプション信号にセットする情報「１２３４５」に分離される。
【００２９】
具体的には、本ファクシミリ装置１００は、上記オプション信号を、親展送信等の場合には、ＳＵＢコマンドのＦＩＦにセットして送出し、親展ポーリング時には、ＳＥＰコマンドのＦＩＦにセットして送出する。
【００３０】
図３は、上記図２に示す短縮ダイヤル設定画面３０１を用いて入力設定されたオプション信号を用いて、親展送信を行う場合の発呼局と被呼局間の通信手順を示すシーケンス図である。なお、この例では、上記図２に示す電話番号情報「０３−１２３４−１２３４」の被呼局に対して親展送信を行う場合を示している。
【００３１】
図３において、まず、使用者により、上記短縮ダイヤル設定画面３０１（図２参照）で入力設定された短縮ダイヤル情報（タンシュクダイヤル：００１  ０３−１２３４−１２３４Ｆ１２３４５）を指定した親展送信の通信における発呼指示が行われると、発呼局が、相手先電話番号情報「０３−１２３４−１２３４」の被呼局に対して呼び出し信号を送出して発呼を行う（Calling）。
【００３２】
これに対して、被呼局は、自局の備えている全能力を示すディジタル識別信号（ＤＩＳ）を発呼局に送信する。なお、この時同時に、非標準機能識別信号（ＮＳＦ）、被呼端末識別信号（ＣＳＩ）をオプション信号として発呼局に送信するケースもある。
【００３３】
上記ＤＩＳ信号を受信した発呼局は、この時、親展送信を行うので、上記ＤＩＳ信号が示す能力の中から親展送信に用いる機能を選択し、その機能を被呼局にディジタル命令信号（ＤＣＳ）で指定するとともに、機能ボックス番号をＳＵＢフレームに設定し、被呼局に対して送信する。なお、この実施例では、ＳＵＢのＦＩＦに「１２３４５」をセットする。そして、ＤＣＳ信号を送出した後、高速モデムに切替えるためにモデム間調整のトレーニング信号（ＴＣＦ）を送出する。
【００３４】
受信側となる被呼局は、発呼局から受信したＳＵＢフレームに設定されているボックス番号が登録されているか、あるいはその指定されたボックスに画情報を蓄積可能かどうかといったＳＵＢの適合性を判断し、適合性があると判断したなら受信を受け入れるようになる。そして、モデムの調整が終了すると、メッセージの受信準備ができたことを示す受信準備確認信号（ＣＦＲ）を発呼局に送信する。
【００３５】
これに対し、発呼局は、上記ＣＦＲを受信すると、高速モデムを用いて、上記ＳＵＢフレームにより指定したサブアドレス「１２３４５」の示す機能ボックスに対して送信原稿を、ページ単位の画情報（ファクシミリ符号化情報：ＰＩＸ）として被呼局に送信する。そして、この例では、１ページ分のＰＩＸの送信が終了すると、転送したページが最終ページであることを示す手順終了信号（ＥＯＰ）を被呼局に送信する。
【００３６】
被呼局は、上記ＥＯＰを受信すると、確認のためにメッセージ確認信号（ＭＣＦ）を被呼局に送信する。
【００３７】
発呼局は、上記ＭＣＦ信号を受信すると、切断を示す切断命令信号（ＤＣＮ）を被呼局に送信し、この通信を切断する手順に移行する。
【００３８】
以上の処理により、発呼局から被呼局に対して親展送信が行なわれる。
【００３９】
図４は、上記図１に示す短縮ダイヤル設定画面３０１を用いて入力設定されたオプション信号を用いて、親展ポーリングを行う場合の発呼局と被呼局間の通信手順を示すシーケンス図である。なお、この例では、上記図１に示す電話番号情報「０３−１２３４−１２３４」の被呼局に対して親展ポーリングを行う場合を示している。
【００４０】
図４において、まず、使用者により、上記短縮ダイヤル設定画面３０１（図２参照）で入力設定された短縮ダイヤル情報（タンシュクダイヤル：００１  ０３−１２３４−１２３４Ｆ１２３４５）を指定した親展ポーリング通信における発呼指示が行われると、発呼局が、相手先電話番号情報「０３−１２３４−１２３４」の被呼局に対して呼び出し信号（Calling）を送出して発呼を行う。
【００４１】
これに対して、被呼局は、自局の備えている全能力を示すディジタル識別信号（ＤＩＳ）を発呼局に送信する。なお、この時、オプション信号として、非標準機能識別信号（ＮＳＦ）、被呼端末識別信号（ＣＳＩ）を発呼局に送信するケースもある。
【００４２】
上記ＤＩＳ信号を受信した発呼局は、この時、親展ポーリングを行なうので、親展ポーリングを行なうことを宣言する情報を入れたディジタル送信命令信号（ＤＴＣ）を被呼局に送信するとともに、サブアドレス情報「１２３４５」をＳＥＰフレームに設定して、被呼局に対して送信する。なお、この時同時に、オプション信号として、発呼端末識別信号（ＣＩＧ）を被呼局に送信する。
【００４３】
被呼局は、発呼局から受信したＳＥＰフレームに設定されているボックス番号が登録されているかどうかといったＳＥＰの適合性を判断し、適合性があると判断したら、ポーリング要求を受け入れる。そして、その後、このＤＴＣ信号が示す能力の中から送信に用いる機能を選択し、その機能を発呼局にディジタル命令信号（ＤＣＳ）で指定する。この時、同時に、オプション信号として、送信端末識別信号（ＴＳＩ）を発呼局に送信するケースもある。そして、そのＤＣＳ信号を送出した後、高速モデムに切替えるためにモデム間調整のトレーニング信号（ＴＣＦ）を送出する。
【００４４】
受信側となる発呼局は、ＴＣＦを正常に受信し、モデムの調整が終了した後、メッセージの受信準備ができたことを示す受信準備確認信号（ＣＦＲ）を被呼局に送出する。
【００４５】
これに対し、送信側となる被呼局は、上記ＣＦＲを受信すると、高速モデムを用いて、上記ＳＥＰフレームにより指定されたサブアドレス情報「１２３４５」に該当する機能ボックス内の原稿をページ単位の画情報（ファクシミリ符号化情報：ＰＩＸ）として発呼局に送信する。そして、１ページ分のＰＩＸの送信が終了すると、この例では、転送したページが最終ページであることを示す手順終了信号（ＥＯＰ）を発呼局に送信する。
【００４６】
発呼局は、上記ＥＯＰ信号を受信すると、確認のためにＭＣＦ信号を被呼局に送信する。
【００４７】
被呼局は、上記ＭＣＦ信号を受信すると、切断を示す切断命令信号（ＤＣＮ）を発呼局に送信し、この通信を切断する手順に移行する。
【００４８】
以上の処理により、指示局と被呼局との間で親展ポーリングが行われる。
【００４９】
図５は、上記図２に示した短縮ダイヤル設定画面３０１の第１の変形例を示す図であり、この例では、短縮ダイヤルに登録される相手先電話番号情報に続いて、オプション信号にセットされる情報として、サブアドレス情報とパスワード情報を入力することが可能な短縮ダイヤル設定画面３０２を示している。
【００５０】
図５に示すように、この例では、短縮ダイヤル「００１」に相手先電話番号情報「０３−１２３４−１２３４」を、オプション信号に設定される情報として、サブアドレス情報「１２３４５」とパスワード情報「５６７８９」が登録される場合を示している。
【００５１】
なお、この短縮ダイヤル設定画面３０２では、相手先の電話番号情報とオプション信号にセットされるサブアドレス情報との区切りには、アルファベット「Ｆ」を区切りとし、そのサブアドレス情報とパスワード情報との区切りには、アルファベット「Ｐ」を区切りとして使用する場合を示している。
【００５２】
そして、この区切り「Ｆ」を入力する手段としては、専用のハードキー、またはタッチパネル等を用いたソフトキーを設けても良いし、自局名等を入力するためのアルファベットの入力手段を代用しても良いものとする。
【００５３】
また、この短縮ダイヤル設定画面３０２を用いて入力された短縮ダイヤル情報は、発呼時には、相手先電話番号「０３−１２３４−１２３４」とオプション信号のサブアドレス情報「１２３４５」およびパスワード情報「５６７８９」に分離される。
【００５４】
具体的には、本ファクシミリ装置１００では、パスワードを伴う親展送信等の場合には、ＳＵＢコマンドのＦＩＦにサブアドレス情報「１２３４５」をセットし、ＳＩＤコマンドのＦＩＦにパスワード情報「５６７８９」をセットして送出する。また、パスワードを伴う親展ポーリング時には、ＳＥＰコマンドのＦＩＦにサブアドレス情報「１２３４５」をセットし、ＰＳＡコマンドのＦＩＦにパスワード情報「５６７８９」をセットして送出する。
【００５５】
なお、この設定画面において、セキュリティの保護のために、短縮ダイヤルにはパスワードを入力せずに各通信毎にパスワードを入力するように設定する構成を設けても良いものとする。
【００５６】
図６は、上記図５に示す短縮ダイヤル設定画面３０２を用いて入力設定されたオプション信号を用いて、親展送信を行う場合の発呼局と被呼局間の通信手順を示すシーケンス図である。なお、この例では、上記図５に示す電話番号情報「０３−１２３４−１２３４」の被呼局に対してパスワードを伴う親展送信を行う場合を示している。また、この通信手順は、図３に示した通信手順とほとんど同様なので、相違する部分についてのみ説明する。
【００５７】
図６に示すように、この場合、発呼局と被呼局間では、パスワードを伴う親展送信を行う場合なので、上記図３のシーケンスにおいて、発呼局が、ＤＣＳを被呼局に対して送信する際、ＳＵＢコマンドのみでなく、ＳＩＤコマンドも送信している。そして、このＳＩＤコマンドのＦＩＦにパスワード情報「５６７８９」をセットしている。
【００５８】
これに対し、受信側となる被呼局は、発呼局から受信したＳＵＢフレームに設定されているボックス番号が登録されているか、あるいは、その指定されたボックスに蓄積可能かといったＳＵＢの適合性を判断し、適合性があると判断したら、次に、ＳＩＤフレームに設定されているパスワード情報が自局に登録されているものと一致するかどうかを判断し、一致すると判断したら、上記発呼局からの親展送信を受け入れる。
【００５９】
そして、それ以降は、上記図３に示した通信手順と以下同様の処理を行う。
【００６０】
図７は、上記図５に示す短縮ダイヤル設定画面３０２を用いて入力設定されたオプション信号を用いて、親展ポーリングを行う場合の発呼局と被呼局間の通信手順を示すシーケンス図である。なお、この例では、上記図５に示す電話番号情報「０３−１２３４−１２３４」の被呼局に対して親展ポーリングを行う場合を示している。また、この通信手順は、図４に示した通信手順とほとんど同様なので、相違する部分についてのみ説明する。
【００６１】
図７に示すように、この場合、発呼局と被呼局間では、パスワードを伴う親展ポーリングを行う場合なので、上記図４のシーケンスにおいて、発呼局が、ＤＴＣを被呼局に対して送信する際、ＳＥＰコマンドのみでなく、ＰＳＡコマンドも送信している。そして、このＰＳＡコマンドのＦＩＦにパスワード情報「５６７８９」をセットしている。
【００６２】
これに対し、送信側となる被呼局は、発呼局から受信したＳＥＰフレームに設定されているボックス番号が登録されているかどうかといったＳＥＰの適合性を判断し、適合性があると判断したら、次に、ＰＳＡフレームに設定されているパスワード情報が自局に登録されているものと一致するかどうかを判断し、一致すると判断したら、上記発呼局からの親展ポーリングを受け入れる。
【００６３】
そして、それ以降は、上記図４に示した通信手順と以下同様の処理を行う。
【００６４】
図８は、上記図２に示した短縮ダイヤル設定画面の第２の変形例を示す図であり、この例では、相手先の電話番号の入力欄とは別に、オプション信号にセットする為の情報（サブアドレス情報およびパスワード情報）を入力する欄を備えた短縮ダイヤル設定画面３０３を示している。
【００６５】
図８に示すように、この短縮ダイヤル設定画面３０３では、「オプション信号にセットする情報」としては、Ｆコードおよびパスワードを想定しており、この例では、短縮番号「００１」に、相手先電話番号「０３−１２３４−１２３４」と、Ｆコード「１２３４５」と、パスワード「５６７８９」とが設定される場合を示している。
【００６６】
なお、この短縮ダイヤル設定画面３０３の構成は、液晶タッチパネル及びハードウェアキーなどから構成される。
【００６７】
図９は、上記図２に示した短縮ダイヤル設定画面の第３の変形例を示す図であり、この例では、相手先の電話番号の入力欄とは別に、オプション信号にセットする為の情報（サブアドレス情報およびパスワード情報）を入力する欄を、上記相手先に（開設）登録されている機能ボックスに応じて複数個備えた短縮ダイヤル設定画面３０４を示している。
【００６８】
図９に示すように、この短縮ダイヤル設定画面３０４では、短縮番号「００１」に、宛先名「ＡＡＡ支店」の相手先電話番号「０３−１２３４−１２３４」が設定され、更に、この短縮ダイヤル「００１」には、１つの相手先電話番号「０３−１２３４−１２３４」に対して、相手先で開設（登録）されている機能ボックス：ＢＯＸ１「Ａ課長」、ＢＯＸ２「Ｂ係長」、ＢＯＸ３「Ｃ係長」毎に、それぞれＦコード、パスワードが設定され、具体的には、ＢＯＸ１「Ａ課長」には、Ｆコード１「１２３４５」およびパスワード１「（無し）」が、ＢＯＸ２「Ｂ係長」には、Ｆコード２「５４３２１」およびパスワード２「１１２２３３」が、ＢＯＸ３「Ｃ課長」には、Ｆコード３「５６７８９」およびパスワード３「（無し）」が設定されている。
【００６９】
図１０は、発呼時に短縮ダイヤルを入力して発呼開始を指示をする場合に、上記図９に示す短縮ダイヤル設定画面３０４で登録した複数の「オプション信号にセットする情報」を選択指定する場合の選択画面の一構成例を示す図である。
【００７０】
図１０において、この選択画面３０５は、使用者により、発呼時に短縮ダイヤルが入力指定された場合に操作表示部３の画面上に現れる。なお、この例では、選択画面３０５には、短縮番号「００１」の宛先名「ＡＡＡ支店」、相手先電話番号「０３−１２３４−１２３４」が選択指定された場合を示している。そして、通信の種類として「親展送信」が選択され、さらに、ＢＯＸ１「Ａ課長」が選択指定された場合を示している。
【００７１】
なお、この選択指定により、本ファクシミリ装置１００は、相手先電話番号「０３−１２３４−１２３４」の相手先に対して発呼し、オプション信号ＳＵＢのファクシミリ情報フィールド（ＦＩＦ）に、上記選択指定されたＢＯＸ１「Ａ課長」に登録設定されているＦコード「１２３４５」（図９参照）をセットして送出する。
【００７２】
図１１は、上記図１０に示した選択画面３０５の他の表示例を示す図であり、この例では、使用者により、同一の相手先に対して複数の機能ボックスを指定した場合の構成を示している。
【００７３】
図１１において、この例では、選択画面３０５には、使用者により、短縮番号「００１」の宛先名「ＡＡＡ支店」、相手先電話番号「０３−１２３４−１２３４」が選択指定された場合の表示例を示している。そして、通信の種類として「親展ポーリング」が選択され、さらに、ＢＯＸ１「Ａ課長」およびＢＯＸ３「Ｃ課長」が選択指定された場合を示している。
【００７４】
なお、この選択指定により、本ファクシミリ装置１００は、相手先電話番号「０３−１２３４−１２３４」の相手先に対して発呼し、相手先が、複数選択ポーリング能力がある場合には、同一呼内で、第１のオプション信号ＳＥＰ１のファクシミリ情報フィールド（ＦＩＦ）に、上記選択指定されたＢＯＸ１「Ａ課長」に登録設定されているＦコード「１２３４５」（図９参照）をセットして送出するとともに、第２のオプション信号ＳＥＰ２のファクシミリ情報フィールド（ＦＩＦ）に、上記選択指定されたＢＯＸ３「Ｃ係長」に登録設定されているＦコード「５６７８９」（図９参照）をセットして送出する。
【００７５】
次に、上記選択画面３０５で複数選択ポーリングが選択指定された場合の本ファクシミリ装置１００の動作について図１２および図１３を参照して詳細に説明する。
【００７６】
図１２は、上記図１０および図１１に示した選択画面３０５を使用して親展ポーリングの発呼指示が行われた場合の発呼局と被呼局間の通信手順を示すシーケンス図であり、この例では、発呼局側に本ファクシミリ装置を適用し、被呼局側に複数選択ポーリング能力がある場合を示している。
【００７７】
図１２において、まず、使用者により、上記短縮ダイヤル設定画面３０４（図９参照）で入力設定された短縮ダイヤル情報を指定した複数選択ポーリングの通信における発呼指示が行われると、発呼局が、被呼局に対して、呼び出し信号を送信して発呼（Calling）を行う。
【００７８】
これに対して、被呼局は、自局の備えている全能力を示すＤＩＳを発呼局に送信する。なお、この時、被呼局は、このＤＩＳ信号に、「複数選択ポーリング能力有り」を示す情報をセットする。また、この時、オプション信号としてＮＳＦ、ＣＳＩを指示局に送信するケースもある。
【００７９】
上記ＤＩＳ信号を受信した発呼局は、この時、複数選択ポーリングを行なうので、複数選択ポーリングを行なうことを宣言する情報を入れたディジタル送信命令信号（ＤＴＣ）を被呼局に送信するとともに、サブアドレス情報「１２３４５」をＳＥＰ１フレームのＦＩＦに設定して、被呼局に対して送信する。なお、この時同時に、オプション信号としてＣＩＧを被呼局に送信するケースもある。
【００８０】
これに対し、送信側となる被呼局は、発呼局から受信したＳＥＰ１フレームに設定されているサブアドレス情報「１２３４５」が登録されているかどうかといったＳＥＰ１の適合性を判断し、適合性があると判断したら、上記発呼局からの親展ポーリングを受け入れる。そして、受信したＤＴＣ信号が示す能力の中から送信に用いる機能を選択し、その機能を発呼局にＤＣＳで指定する。ＤＣＳの前に、オプション信号として、ＴＳＩを発呼局に送信するケースもある。そして、そのＤＣＳ信号を送出した後、高速モデムに切替えるためにモデム間調整のＴＣＦを送出する。
【００８１】
受信側となる発呼局は、ＴＣＦを正常に受信し、モデムの調整が終了した後、メッセージの受信準備ができたことを示すＣＦＲを被呼局に送出する。
【００８２】
これに対し、送信側となる被呼局は、上記ＣＦＲを受信すると、高速モデムを用いて、上記ＳＥＰ１フレームにより指定されたサブアドレス情報「１２３４５」に該当する機能ボックス内の送信原稿をページ単位の画情報（ＰＩＸ）として発呼局に送信する。そして、原稿の送信が終了すると、選択終了信号（ＥＯＳ）を発呼局に送信し、次の文書の送信手順に移行する。
【００８３】
発呼局は、上記ＥＯＳ信号を受信すると、確認のためにＭＣＦ信号を被呼局に送信する。その後、発呼局は、一定時間経過（Ｔ２Ｔｉｍｅｏｕｔ）した後、ＤＴＣ信号を被呼局に送信するとともに、サブアドレス情報「５６７８９」をＳＥＰ２フレームのＦＩＦに設定して、被呼局に対して送信する。なお、この時同時に、オプション信号としてＣＩＧを被呼局に送信するケースもある。
【００８４】
これに対し、被呼局は、発呼局から受信したＳＥＰ２フレームに設定されているサブアドレス情報「５６７８９」が登録されているかどうかといったＳＥＰ２の適合性を判断し、適合性があると判断したら、上記発呼局からの親展ポーリングを受け入れる。そして、受信したＤＴＣ信号が示す能力の中から送信に用いる機能を選択し、その機能を発呼局にＤＣＳで指定する。ＤＣＳの前に、オプション信号として、ＴＳＩを発呼局に送信するケースもある。そして、そのＤＣＳ信号を送出した後、高速モデムに切替えるためにモデム間調整のＴＣＦを送出する。
【００８５】
発呼局は、ＴＣＦを正常に受信し、モデムの調整が終了した後、メッセージの受信準備ができたことを示すＣＦＲを被呼局に送出する。
【００８６】
これに対し、被呼局は、上記ＣＦＲを受信すると、高速モデムを用いて、上記ＳＥＰ２フレームにより指定されたサブアドレス情報「５６７８９」に該当する機能ボックス内の原稿をページ単位の画情報（ＰＩＸ）として発呼局に送信する。そして、原稿の送信が終了すると、転送したページが最終ページであることを示すＥＯＰを発呼局に送信する。
【００８７】
発呼局は、上記ＥＯＰ信号を受信すると、確認のためにＭＣＦ信号を被呼局に送信する。
【００８８】
被呼局は、上記ＭＣＦ信号を受信すると、切断を示すＤＣＮ信号を発呼局に送信し、この通信を切断する手順に移行する。
【００８９】
これにより、本ファクシミリ装置１００の発呼局は、複数選択ポーリング能力がある被呼局との間で、一度回線を解放することなく、同一呼内で複数選択ポーリングを実行することができる。
【００９０】
図１３は、上記図１０および図１１に示した選択画面３０５を使用して親展ポーリングの発呼指示が行われた場合の発呼局と被呼局間の通信手順を示すシーケンス図であり、この例では、発呼局側に本ファクシミリ装置を適用し、被呼局側に複数選択ポーリング能力がない場合を示している。
【００９１】
図１３において、まず、使用者により、上記短縮ダイヤル設定画面３０４（図９参照）で入力設定された短縮ダイヤル情報を指定した複数選択ポーリングの通信における発呼指示が行われると、発呼局が、被呼局に対して、呼び出し信号を送信して発呼（Calling）を行う。
【００９２】
これに対して、被呼局は、自局の備えている全能力を示すＤＩＳを発呼局に送信する。なお、この時、被呼局は、複数選択ポーリング能力が無いので、上記ＤＩＳ信号に、「複数選択ポーリング能力有り」を示す情報はセットしない。また、この時、オプション信号としてＮＳＦ、ＣＳＩを指示局に送信するケースもある。
【００９３】
上記ＤＩＳ信号を受信した発呼局は、この時、親展ポーリングを行なうので、親展ポーリングを行なうことを宣言する情報を入れたＤＴＣを被呼局に送信するとともに、サブアドレス情報「１２３４５」をＳＥＰ１フレームのＦＩＦに設定して、被呼局に対して送信する。なお、この時同時に、オプション信号としてＣＩＧを被呼局に送信するケースもある。
【００９４】
送信側となる被呼局は、発呼局から受信したＳＥＰ１フレームに設定されているサブアドレス情報「１２３４５」が登録されているかどうかといったＳＥＰ１の適合性を判断し、適合性があると判断したら、上記発呼局からの親展ポーリングを受け入れる。そして、受信したＤＴＣ信号が示す能力の中から送信に用いる機能を選択し、その機能を発呼局にＤＣＳで指定する。ＤＳＣの前に、オプション信号として、ＴＳＩを発呼局に送信するケースもある。そして、そのＤＣＳ信号を送出した後、高速モデムに切替えるためにモデム間調整のＴＣＦを送出する。
【００９５】
受信側となる発呼局は、ＴＣＦを正常に受信し、モデムの調整が終了した後、メッセージの受信準備ができたことを示すＣＦＲを被呼局に送出する。
【００９６】
これに対し、送信側となる被呼局は、上記ＣＦＲを受信すると、高速モデムを用いて、上記ＳＥＰ１フレームにより指定されたサブアドレス情報「１２３４５」に該当する機能ボックス内の送信原稿をページ単位の画情報（ＰＩＸ）として発呼局に送信する。そして、上記ボックス内の原稿の送信が終了すると、転送したページが最終ページであることを示す手順終了信号（ＥＯＰ）を発呼局に送信する。
【００９７】
発呼局は、上記ＥＯＰ信号を受信すると、確認のためにＭＣＦ信号を被呼局に送信する。
【００９８】
被呼局は、上記ＭＣＦ信号を受信すると、切断を示すＤＣＮ信号を発呼局に送信し、この通信を一度切断する手順に移行する。
【００９９】
これにより、発呼局と被呼局間で一度回線が解放されることになる。
【０１００】
その後、発呼局は、もう一度、被呼局に対して、呼び出し信号を送信して発呼（Calling）を行う。すなわち、別発呼を行う。
【０１０１】
これに対して、被呼局は、自局の備えている全能力を示すＤＩＳを発呼局に送信する。また、この時、オプション信号としてＮＳＦ、ＣＳＩを指示局に送信するケースもある。
【０１０２】
上記ＤＩＳ信号を受信した発呼局は、この時、親展ポーリングを行なうので、親展ポーリングを行なうことを宣言する情報を入れたＤＴＣを被呼局に送信するとともに、サブアドレス情報「５６７８９」をＳＥＰ２フレームのＦＩＦに設定して、被呼局に対して送信する。なお、この時同時に、オプション信号としてＣＩＧを被呼局に送信するケースもある。
【０１０３】
被呼局は、発呼局から受信したＳＥＰ２フレームに設定されているサブアドレス情報「１２３４５」が登録されているかどうかといったＳＥＰ１の適合性を判断し、適合性があると判断したら、上記発呼局からの親展ポーリングを受け入れる。そして、上記受信したＤＴＣ信号が示す能力の中から送信に用いる機能を選択し、その機能を発呼局にＤＣＳで指定する。ＤＣＳの前に、オプション信号として、ＴＳＩを発呼局に送信するケースもある。そして、そのＤＣＳ信号を送出した後、高速モデムに切替えるためにモデム間調整のＴＣＦを送出する
発呼局は、ＴＣＦを正常に受信し、モデムの調整が終了した後、メッセージの受信準備ができたことを示すＣＦＲを被呼局に送出する。
【０１０４】
これに対し、被呼局は、上記ＣＦＲを受信すると、高速モデムを用いて、上記ＳＥＰ２フレームにより指定されたサブアドレス情報「５６７８９」に該当する機能ボックス内の原稿をページ単位の画情報（ＰＩＸ）として発呼局に送信する。そして、１ページ分のＰＩＸの送信が終了すると、この例では、転送したページが最終ページであることを示すＥＯＰを発呼局に送信する。
【０１０５】
発呼局は、上記ＥＯＰ信号を受信すると、確認のためにＭＣＦ信号を被呼局に送信する。
【０１０６】
被呼局は、上記ＭＣＦ信号を受信すると、切断を示すＤＣＮ信号を発呼局に送信し、この通信を切断する手順に移行する。
【０１０７】
以上のように、被呼局側に複数選択ポーリングの能力が無い場合には、例え、相手先（宛先）が同一であっても、一度発呼局と被呼局との間のポーリング通信を切断してから、別の呼で更に他のポーリングを行う。
【０１０８】
なお、上記図１２および図１３に示したシーケンス図では、図９の短縮ダイヤル設定画面３０４を用いて設定登録された短縮ダイヤルのうち、１つの短縮番号に対して設定された複数のオプション信号の情報を選択して発呼指示が行われた場合に、図１２が、複数選択ポーリング能力がある被呼局との間で、一度回線を解放することなく、同一呼内で複数選択ポーリングを実行する通信手順を示し、図１３が、被呼局側に複数選択ポーリングの能力が無い場合、例え、相手先（宛先）が同一であっても、一度発呼局と被呼局との間のポーリング通信を切断してから、別の呼で更に他のポーリングを行う通信手順を示している。しかし、本発明は、これに限定されず、例えば、上記図９の短縮ダイヤル設定画面３０４を用いて、異なる短縮ダイヤル番号に同一の宛先情報（相手先電話番号）でオプション信号に設定する情報のみが異なるものが複数登録されており、それら同一の宛先情報が登録された複数の短縮ダイヤル番号の情報を用いて発呼指示が行われた場合でも、上述の図１２および図１３に示すシーケンスと同様に、複数選択ポーリング能力がある被呼局との間では、一度回線を解放することなく同一呼内で複数選択ポーリングを実行する通信手順を行い、被呼局側に複数選択ポーリングの能力が無い場合は、一度発呼局と被呼局との間のポーリング通信を切断してから別の呼で更に他のポーリングを実行する通信手順を行うものとする。
【０１０９】
また、これと同様に、本発明では、上記図２の短縮ダイヤル設定画面３０１および図５の短縮ダイヤル設定画面３０２を用いて、異なる短縮ダイヤル番号に同一の宛先情報（相手先電話番号）でオプション信号に設定する情報のみが異なるものが複数登録されており、それら同一の宛先情報が登録された複数の短縮ダイヤル番号の情報を用いて発呼指示が行われた場合であっても、上述の図１２および図１３に示すシーケンスと同様に、複数選択ポーリング能力がある被呼局との間では、一度回線を解放することなく同一呼内で複数選択ポーリングを実行する通信手順を行い、被呼局側に複数選択ポーリングの能力が無い場合は、一度発呼局と被呼局との間のポーリング通信を切断してから別の呼で更に他のポーリングを実行する通信手順を行うものとする。
【０１１０】
更に、短縮ダイヤルを使用せずに、使用者により発呼する度に、相手先情報（相手先電話番号）とオプション信号の情報とが複数入力指定された場合でも、相手先情報が同一であれば、上記図１２および図１３に示すシーケンスと同様に、複数選択ポーリング能力がある被呼局との間では、一度回線を解放することなく同一呼内で複数選択ポーリングを実行する通信手順を行い、被呼局側に複数選択ポーリングの能力が無い場合は、一度発呼局と被呼局との間のポーリング通信を切断してから別の呼で更に他のポーリングを実行する通信手順を行うものとする。
【０１１１】
次に、複数対のオプション信号と画情報を送信することが可能な発呼局から、それら複数対のオプション信号と画情報を受信した場合の受信側となる被呼局の処理動作について説明する。
【０１１２】
図１４は、同一呼内で複数対のオプション信号と画情報を送信することが可能な発呼局と被呼局間の通信手順を示すシーケンス図であり、この例では、被呼局に本ファクシミリ装置を適用した場合を示している。
【０１１３】
図１４において、まず、発呼局が、相手先電話番号情報「０３−１２３４−１２３４」の本ファクシミリ装置１００（以下、単に「被呼局」という。）に対して呼び出し信号を送出して発呼を行う（Calling）。
【０１１４】
これに対して、被呼局は、自局の備えている全能力を示すＤＩＳを発呼局に送信する。なお、この時同時に、オプション信号としてＮＳＦ、ＣＳＩを発呼局に送信するケースもある。
【０１１５】
上記ＤＩＳ信号を受信した発呼局は、この時、親展送信を行うので、上記ＤＩＳ信号が示す能力の中から親展送信に用いる機能を選択し、その機能を被呼局にＤＣＳで指定するとともに、機能ボックス番号をＳＵＢ１フレームに設定し、被呼局に対して送信する。なお、この実施例では、ＳＵＢ１のＦＩＦに「１２３４５」をセットする。また、この時同時に、ＴＳＩを被呼局に送信するケースもある。そして、ＤＣＳ信号を送出した後、高速モデムに切替えるためにモデム間調整のＴＣＦを送出する。
【０１１６】
受信側となる被呼局は、発呼局から受信したＳＵＢ１フレームに設定されているボックス番号が登録されているか、あるいはその指定されたボックスに画情報を蓄積可能かどうかといったＳＵＢ１の適合性を判断する。適合性があると判断し、モデムの調整が終了すると、メッセージの受信準備ができたことを示すＣＦＲを発呼局に送信する。
【０１１７】
これに対し、発呼局は、上記ＣＦＲを受信すると、高速モデムを用いて、上記ＳＵＢ１フレームにより指定したサブアドレス「１２３４５」の示す機能ボックスに対して送信原稿を、ページ単位の画情報（ＰＩＸ）として被呼局に送信する。
【０１１８】
この時、被呼局は、受信した画情報（ＰＩＸ）を対となる上記オプション信号ＳＵＢ１と対応させて、親展ボックス「１２３４５」に蓄積する。
【０１１９】
その後、発呼局は、１ページ分のＰＩＸの送信が終了すると、まだ、パラメータ変更後、次ページの転送が有ることを示すＥＯＭを発呼局に送信する
被呼局は、上記ＥＯＭ信号を受信すると、確認のためにＭＣＦ信号を発呼局に送信する。その後、被呼局は、一定時間経過（Ｔ２Ｔｉｍｅｏｕｔ）した後、ＤＩＳ信号を発呼局に送信する。その時、同時に、オプション信号としてＮＳＦ、ＣＳＩを送信するケースもある。
【０１２０】
上記ＤＩＳ信号を受信した発呼局は、この時、親展送信を行うので、上記ＤＩＳ信号が示す能力の中から親展送信に用いる機能を選択し、その機能を被呼局にＤＣＳで指定するとともに、機能ボックス番号をＳＵＢ２フレームに設定し、被呼局に対して送信する。なお、この実施例では、ＳＵＢ２のＦＩＦに「５６７８９」をセットする。また、この時同時に、ＴＳＩを被呼局に送信するケースもある。そして、ＤＣＳ信号を送出した後、高速モデムに切替えるためにモデム間調整のＴＣＦを送出する。
【０１２１】
受信側となる被呼局は、発呼局から受信したＳＵＢ２フレームに設定されているボックス番号が登録されているか、あるいはその指定されたボックスに画情報を蓄積可能かどうかといったＳＵＢ２の適合性を判断する。適合性があると判断し、モデムの調整が終了すると、メッセージの受信準備ができたことを示すＣＦＲを発呼局に送信する。
【０１２２】
これに対し、発呼局は、上記ＣＦＲを受信すると、高速モデムを用いて、上記ＳＵＢ２フレームにより指定したサブアドレス「５６７８９」の示す機能ボックスに対して送信原稿を、ページ単位の画情報（ＰＩＸ）として被呼局に送信する。
【０１２３】
この時、被呼局は、受信した画情報（ＰＩＸ）を対となる上記オプション信号ＳＵＢ２と対応させて、親展ボックス「５６７８９」に蓄積する。
【０１２４】
その後、発呼局は、１ページ分のＰＩＸの送信が終了すると、転送したページが最終ページであることを示すＥＯＰを被呼局に送信する。
【０１２５】
被呼局は、上記ＥＯＰを受信すると、確認のためにＭＣＦ信号を発呼局に送信する。
【０１２６】
発呼局は、上記ＭＣＦ信号を受信すると、切断を示すＤＣＮ信号を被呼局に送信し、この通信を切断する手順に移行する。
【０１２７】
この構成によると、発呼した相手局に対し複数のオプション信号毎に通信断することなく通信すべく制御する機能を有する発呼局から、複数のオプション信号とこれら複数のオプション信号に関連する画情報を受信した場合、それら各受信したオプション信号毎に対応させた画情報の処理を行うべく動作制御するようにしているので、各オプション信号と画情報の対応を正しく管理することができる。
【０１２８】
なお、上記実施例では、ファクシミリ装置への適用例を示したが、これに限定されず、複合機等、ファクシミリ通信手順を備えるファクシミリ通信装置全般に適用できるものとする。
【０１２９】
また、上記実施例では、Ｇ３手順を用いて説明しており、各オプション信号にセットする情報もＩＴＵ−Ｔ  Ｔ．３０に規定されるフォーマットを前提に記述しているが、特にＧ３手順に限定されるものではない。
【０１３０】
【発明の効果】
以上説明したように、本発明によれば、同一の宛先に対する複数の短縮ダイヤルによる発呼指示が行われ、該各短縮ダイヤルにオプション信号に設定する特定機能情報が設定されている場合、当該相手局に対し発呼し、該各短縮ダイヤル毎に登録されたオプション信号毎、あるいは登録されている複数のオプション信号のうちの選択指定された複数のオプション信号毎に通信断することなく通信する制御を行うようにしたため、同一の相手局の宛先情報に、例えば各々異なる機能に対応する特定機能情報を対応付けてそれぞれ別の短縮ダイヤルに事前に登録しておくことで、これら同一の宛先情報を持つ複数の短縮ダイヤルを用いて発呼指示がなされた場合に、ユーザが意識しなくても、相手局の能力次第では、宛先情報が同じ複数の短縮ダイヤルに登録された複数の特定機能の指示を同一呼にまとめ、該複数の特定機能動作を当該同一呼内で処理することにより通信コストを節減できる。
【図面の簡単な説明】
【図１】本発明に係るファクシミリ装置のシステム構成を示す図。
【図２】図１に示すファクシミリ装置の操作表示部に表示される短縮ダイヤルの設定画面の一構成例を示す図。
【図３】図２に示す短縮ダイヤル設定画面を用いて入力設定されたオプション信号を用いて、親展送信を行う場合の発呼局と被呼局間の通信手順を示すシーケンス図。
【図４】図１に示す短縮ダイヤル設定画面を用いて入力設定されたオプション信号を用いて、親展ポーリングを行う場合の発呼局と被呼局間の通信手順を示すシーケンス図。
【図５】図２に示した短縮ダイヤル設定画面の第１の変形例を示す図。
【図６】図５に示す短縮ダイヤル設定画面を用いて入力設定されたオプション信号を用いて、親展送信を行う場合の発呼局と被呼局間の通信手順を示すシーケンス図。
【図７】図５に示す短縮ダイヤル設定画面を用いて入力設定されたオプション信号を用いて、親展ポーリングを行う場合の発呼局と被呼局間の通信手順を示すシーケンス図。
【図８】図２に示した短縮ダイヤル設定画面の第２の変形例を示す図。
【図９】図２に示した短縮ダイヤル設定画面の第３の変形例を示す図。
【図１０】発呼時に短縮ダイヤルを入力して発呼開始を指示をする場合に、図９に示す短縮ダイヤル設定画面で登録した複数の「オプション信号にセットする情報」を選択指定する場合の選択画面の一構成例を示す図。
【図１１】図１０に示した選択画面の他の表示例を示す図。
【図１２】図１０および図１１に示した選択画面を使用して複数選択ポーリングの発呼指示が行われた場合の発呼局と被呼局間の通信手順を示すシーケンス図。
【図１３】図１０および図１１に示した選択画面を使用して複数選択ポーリングの発呼指示が行われた場合の発呼局と被呼局間の通信手順を示すシーケンス図。
【図１４】同一呼内で複数対のオプション信号と画情報を送信することが可能な発呼局と被呼局間の通信手順を示すシーケンス図。
【符号の説明】
１００…ファクシミリ装置、１…ＣＰＵ、２…ＲＡＭ、３…操作表示部、４…読取部、５…印字部、６…画像処理部、７…画像蓄積部、８…システム制御部、９…通信制御部、１０…通信制御部、１１…ディジタル網制御部、１２…モデム、１３…アナログ網制御部、１４…回線切換え制御部、１５…システムバス
【図１】
0003757721.tif 000002
【図２】
0003757721.tif 000003
【図３】
0003757721.tif 000004
【図４】
0003757721.tif 000005
【図５】
0003757721.tif 000006
【図６】
0003757721.tif 000007
【図７】
0003757721.tif 000008
【図８】
0003757721.tif 000009
【図９】
0003757721.tif 000010
【図１０】
0003757721.tif 000011
【図１１】
0003757721.tif 000012
【図１２】
0003757721.tif 000013
【図１３】
0003757721.tif 000014
【図１４】
0003757721.tif 000015